(57)【要約】      （修正有）【課題】かご室内からの作業のみによって、簡単に取り付けができ、既設エレベータにも容易に対応することができるエレベータのかご内手摺装置を得る。【解決手段】手摺３と、ブラケット１と、取付孔が形成されたブラケット１の固定座９と、壁パネル１９に形成された取付孔にかご室内から挿入され、フランジ部がかご室内に、ナット部が壁パネル１９の裏側に配置されたナット手段１４と、固定座９が壁パネル１９に宛がわれた状態で、固定座９の取付孔にかご室内から挿入され、壁パネル１９の裏側でナット部のネジ孔に締め付けられた手摺固定ネジ１５とを備える。そして、上記手摺固定ネジ１５の締め付けにより、フランジ部とナット部とによって壁パネル１９を、また、フランジ部と手摺固定ネジ１５とによって固定座９を狭持して、上記ナット手段１４及びブラケット１を壁パネル１９にそれぞれ固定する。【選択図】図３
2008285253.tif 000002
【特許請求の範囲】
【請求項１】
エレベータのかご室内の所定高さに配置された手摺と、
前記手摺を支持するブラケットと、
前記ブラケットに設けられ、取付孔が形成された固定座と、
かご室の壁パネルに形成された取付孔にかご室内から挿入され、前記壁パネルの取付孔よりも大きなフランジ部がかご室内に、ネジ孔が形成されたナット部が、前記壁パネルの取付孔を通って前記壁パネルの裏側に配置されたナット手段と、
前記固定座が前記フランジ部を覆うように前記壁パネルに宛がわれた状態で、前記固定座の取付孔にかご室内から挿入され、前記壁パネルの裏側で前記ナット部のネジ孔に締め付けられた手摺固定ネジと、
を備え、
前記フランジ部と前記ナット部とによって前記壁パネルが、また、前記フランジ部と前記手摺固定ネジとによって前記固定座が挟持されることにより、前記ナット手段及び前記ブラケットが、前記壁パネルにそれぞれ固定されたことを特徴とするエレベータのかご内手摺装置。
【請求項２】
手摺の長手に沿って設けられたレールと、
ブラケットに設けられ、前記レールに沿ってスライド自在で、且つ前記手摺の任意の位置に固定自在な手摺固定手段と、
を備えたことを特徴とする請求項１に記載のエレベータのかご内手摺装置。
【請求項３】
手摺固定ネジは、特殊工具によってのみ締結及び弛緩できる所定の形状を呈することを特徴とする請求項１又は請求項２に記載のエレベータのかご内手摺装置。
【請求項４】
固定座及び手摺固定ネジをかご室内から覆うカバーと、
を備え、
前記カバーは、一般工具では取り外すことができない所定の方法によって固定されたことを特徴とする請求項１又は請求項２に記載のエレベータのかご内手摺装置。
【請求項５】
エレベータのかご室の壁パネルに、かご室内から取付孔を形成するステップと、
前記壁パネルの取付孔にかご室内からナット手段を挿入して、前記壁パネルの取付孔よりも大きなフランジ部をかご室内に、ネジ孔が形成されたナット部を前記壁パネルの裏側に配置するステップと、
手摺を支持するブラケットに、取付孔が形成された固定座を固定するステップと、
前記フランジ部を覆うように前記固定座を前記壁パネルに宛がい、前記固定座の取付孔にかご室内から手摺固定ネジを挿入して、前記手摺固定ネジを前記壁パネルの裏側で前記ナット部のネジ孔に締め付けるステップと、
前記手摺固定ネジの締め付けにより、前記フランジ部と前記ナット部とによって前記壁パネルを、また、前記フランジ部と前記手摺固定ネジとによって前記固定座を狭持し、前記ナット手段及び前記ブラケットを前記壁パネルにそれぞれ固定するステップと、
を備えたことを特徴とするエレベータのかご内手摺装置の取付方法。
【請求項６】
エレベータのかご室の壁パネルに、かご室内から第１の取付孔を形成するステップと、
前記壁パネルに第１の取付孔を形成した後、この第１の取付孔に近接する位置に、第２の取付孔を形成するステップと、
前記壁パネルの第２の取付孔にかご室内からナット手段を挿入して、前記壁パネルの第２の取付孔よりも大きなフランジ部をかご室内に、ネジ孔が形成されたナット部を前記壁パネルの裏側に配置するステップと、
手摺を支持するブラケットに、取付孔が形成された固定座を固定するステップと、
前記壁パネルの第１の取付孔及び前記フランジ部を覆うように前記固定座を前記壁パネルに宛がい、前記固定座の取付孔にかご室内から手摺固定ネジを挿入して、前記手摺固定ネジを前記壁パネルの裏側で前記ナット部のネジ孔に締め付けるステップと、
前記手摺固定ネジの締め付けにより、前記フランジ部と前記ナット部とによって前記壁パネルを、また、前記フランジ部と前記手摺固定ネジとによって前記固定座を狭持し、前記ナット手段及び前記ブラケットを前記壁パネルにそれぞれ固定するステップと、
を備えたことを特徴とするエレベータのかご内手摺装置の取付方法。
【発明の詳細な説明】
【技術分野】
【０００１】
この発明は、エレベータのかご室内に設けられたかご内手摺装置、及びその取付方法に関するものである。
【背景技術】
【０００２】
エレベータには、乗客のことを考慮して、かご室内にかご内手摺装置を設置したものがある。図１３及び図１４はエレベータのかご室内に備えられた従来のかご内手摺装置を示している。エレベータのかご内手摺装置は、一般に、かご室壁に固定された複数のブラケット２５によって棒状の手摺２６を支持することにより、上記手摺２６をかご室内の所定の高さに配置している。
【０００３】
そして、従来では、以下に示す手順によって、かご内手摺装置がかご室壁に取り付けられていた。即ち、先ず、かご室壁を形成する壁パネル２７の所定位置に、ブラケット２５を固定するための取付孔２７ａを形成する。次に、予めネジ孔が形成された固定用座金２８を、壁パネル２７の裏側から上記取付孔２７ａの位置に合わせて宛がい、この固定用座金２８を壁パネル２７の裏面に固定する。そして、かご室内から取付ネジ２９を固定用座金２８のネジ孔に締め付けて、ブラケット２５を壁パネル２７に固定し、更に手摺２６をブラケット２５に固定して、図１３及び図１４に示す状態に完成させる。
【０００４】
一方、かご内手摺装置の従来技術として、壁パネルの裏側の所定位置に、予めネジ孔が形成された固定用座金を取り付けておくことにより、かご室内からの作業のみによって、かご内手摺装置を取り付けることができるようにしたものが提案されている（例えば、特許文献１参照）。
【０００５】
【特許文献１】特開平７−９７１６３号公報
【発明の開示】
【発明が解決しようとする課題】
【０００６】
図１３及び図１４に示す従来のかご内手摺装置では、かご内手摺装置を取り付ける際に、固定用座金を壁パネル裏面の所定位置に固定しなければならず、かご室内とかご室外とに１人ずつ作業者が必要となって、作業性が悪いという問題があった。
【０００７】
一方、特許文献１記載のものでは、かご室内からの作業のみによってかご内手摺装置の取り付けが行えるように構成されているが、これを実現するためには、予め固定用座金を壁パネル裏面の所定位置に固定しておかなければならない。即ち、特許文献１記載のものは、新設のエレベータにかご内手摺装置を取り付ける場合や、かご内手摺装置の取り付けがオプションとして備わっている既設エレベータ等にしか対応することはできなかった。したがって、例えば、かご内手摺装置の取り付けが想定されていない既設エレベータに、客先の要求に応じてかご内手摺を取り付ける場合には、上記従来と同様の手順が必要となり、同じ問題が生じることとなっていた。
【０００８】
また、最近では、エレベータの省スペース化により、かごと昇降路壁との間に作業者が入るための十分な空間が確保されていない場合も多い。かかる場合には、かご室壁の裏側に作業者が回り込むことができないため、かご室壁を一旦解体してからかご内手摺装置の取り付けを行わなければならなかった。
【０００９】
この発明は、上述のような課題を解決するためになされたもので、その目的は、かご室内からの作業のみによって、簡単にかご室壁の所定位置に取り付けることができ、更に、既設エレベータにも容易に対応することができるエレベータのかご内手摺装置、及びその取付方法を提供することである。
【課題を解決するための手段】
【００１０】
この発明に係るエレベータのかご内手摺装置は、エレベータのかご室内の所定高さに配置された手摺と、手摺を支持するブラケットと、ブラケットに設けられ、取付孔が形成された固定座と、かご室の壁パネルに形成された取付孔にかご室内から挿入され、壁パネルの取付孔よりも大きなフランジ部がかご室内に、ネジ孔が形成されたナット部が、壁パネルの取付孔を通って壁パネルの裏側に配置されたナット手段と、固定座がフランジ部を覆うように壁パネルに宛がわれた状態で、固定座の取付孔にかご室内から挿入され、壁パネルの裏側でナット部のネジ孔に締め付けられた手摺固定ネジと、を備え、フランジ部とナット部とによって壁パネルが、また、フランジ部と手摺固定ネジとによって固定座が挟持されることにより、ナット手段及びブラケットが、壁パネルにそれぞれ固定されたものである。
【００１１】
この発明に係るエレベータのかご内手摺装置の取付方法は、エレベータのかご室の壁パネルに、かご室内から取付孔を形成するステップと、壁パネルの取付孔にかご室内からナット手段を挿入して、壁パネルの取付孔よりも大きなフランジ部をかご室内に、ネジ孔が形成されたナット部を壁パネルの裏側に配置するステップと、手摺を支持するブラケットに、取付孔が形成された固定座を固定するステップと、フランジ部を覆うように固定座を壁パネルに宛がい、固定座の取付孔にかご室内から手摺固定ネジを挿入して、手摺固定ネジを壁パネルの裏側でナット部のネジ孔に締め付けるステップと、手摺固定ネジの締め付けにより、フランジ部とナット部とによって壁パネルを、また、フランジ部と手摺固定ネジとによって固定座を狭持し、ナット手段及びブラケットを壁パネルにそれぞれ固定するステップと、を備えたものである。
【００１２】
また、この発明に係るエレベータのかご内手摺装置の取付方法は、エレベータのかご室の壁パネルに、かご室内から第１の取付孔を形成するステップと、壁パネルに第１の取付孔を形成した後、この第１の取付孔に近接する位置に、第２の取付孔を形成するステップと、壁パネルの第２の取付孔にかご室内からナット手段を挿入して、壁パネルの第２の取付孔よりも大きなフランジ部をかご室内に、ネジ孔が形成されたナット部を壁パネルの裏側に配置するステップと、手摺を支持するブラケットに、取付孔が形成された固定座を固定するステップと、壁パネルの第１の取付孔及びフランジ部を覆うように固定座を壁パネルに宛がい、固定座の取付孔にかご室内から手摺固定ネジを挿入して、手摺固定ネジを壁パネルの裏側でナット部のネジ孔に締め付けるステップと、手摺固定ネジの締め付けにより、フランジ部とナット部とによって壁パネルを、また、フランジ部と手摺固定ネジとによって固定座を狭持し、ナット手段及びブラケットを壁パネルにそれぞれ固定するステップと、を備えたものである。
【発明の効果】
【００１３】
この発明によれば、かご室内からの作業のみによって、かご内手摺装置を簡単にかご室壁の所定位置に取り付けることができ、更に、既設エレベータにも容易に対応することができる。
【発明を実施するための最良の形態】
【００１４】
この発明をより詳細に説明するため、添付の図面に従ってこれを説明する。なお、各図中、同一又は相当する部分には同一の符号を付しており、その重複説明は適宜に簡略化ないし省略する。
【００１５】
実施の形態１．
図１はこの発明の実施の形態１におけるエレベータのかご内手摺装置を示す正面図、図２は図１に示すかご内手摺装置のＡ−Ａ断面図、図３は図１に示すかご内手摺装置のＢ−Ｂ断面図、図４は図３に示すかご内手摺装置のＣ矢視図である。
【００１６】
エレベータのかご室内に設けられたかご内手摺装置は、かご室壁に設けられた複数（図１乃至図４では２つ）のブラケット１と、ブラケット１をかご室壁に固定するためのブラケット固定手段２と、ブラケット１に支持された棒状の手摺３とによって構成される。
【００１７】
手摺３は、エレベータの乗客が持ち易いように、かご室内の所定の高さに水平に配置される。この手摺３の内部には、図１及び図２に示すように、長手に沿ってアリ溝付レール４が設けられている。そして、乗客が把持する把持部５は、アリ溝付レール４を覆うように配置され、例えば、皿ネジ６により、上記アリ溝付レール４に所定間隔毎に固定されている。
【００１８】
ブラケット１は、図３及び図４に示すように、要部を構成するＬ字状の支柱７、支柱７の一端部に設けられた手摺固定手段８、支柱７の他端部に設けられた固定座９によって構成される。手摺固定手段８は、ブラケット１に手摺３を支持させるためのものであり、手摺３の任意の位置に固定自在に構成される。例えば、手摺固定手段８は、支柱７の一端部に溶接等によって設けられた板状の取付座１０と、取付座１０に設けられた固定ネジ１１のネジ座１２とにより、アリ溝付レール４の突起部４ａを挟持して、支柱７の一端部を手摺３に固定する。即ち、手摺固定手段８（ブラケット１）は、固定ネジ１１が弛緩されることにより、アリ溝付レール４に沿ってスライド自在となり、固定ネジ１１を締め付けることにより、アリ溝付レール４の任意の位置に固定される。また、上記固定座９は、ブラケット１に設けられたフランジの機能を有し、皿ネジ１３等によって支柱７の他端面に固定される。なお、固定座９には、支柱７の他端部をかご室壁に取り付けるための複数の取付孔が形成されている。
【００１９】
ブラケット固定手段２は、かご室内からの作業のみによって、ブラケット１（支柱７の他端部）をかご室壁に固定するためのものであり、例えば、回転式ナット１４（ナット手段）と、手摺固定ネジ１５とによって構成される。
【００２０】
図５はこの発明の実施の形態１における回転式ナットを示す図、図６は図５に示す回転式ナットのＤ−Ｄ断面図である。回転式ナット１４は、図５及び図６に示すように、フランジ部１６、ナット支持部１７、ナット部１８から構成され、手摺固定ネジ１５を使用したかご室内からの作業のみによって、かご室壁を形成する壁パネル１９に固定される。具体的に、フランジ部１６は、壁パネル１９に形成されたかご内手摺装置取付用の取付孔（図１乃至図４においては図示せず）よりも一回り大きな形状を呈しており、その中央部に貫通孔１６ａが形成されている。ナット支持部１７は、貫通孔１６ａの両側から突出するように、フランジ部１６の一側面に立設されている。また、ナット支持部１７は、所定の間隙を有して対向するように平行に配置され、その長手に沿って長孔１７ａが形成されている。
【００２１】
ナット部１８は、手摺固定ネジ１５のネジ部が締め付けられる部分であり、ナット支持部１７に対して回転自在に、且つ長孔１７ａに沿って移動自在に設けられ、上記ナット支持部１７間に配置されている。ここで、１８ａはナット部１８をナット支持部１７に対して回転自在に支持させるための軸である。この軸１８ａは、ナット部１８の両側面から突出し、各長孔１７ａを貫通するように設けられている。なお、軸１８ａは、その軸方向が長孔１７ａの長手方向に直交するように配置されている。１８ｂはナット部１８の中央部に形成されたネジ孔である。このネジ孔１８ｂは、かご内手摺装置の取付時に手摺固定ネジ１５が螺嵌され、上記軸１８ａの軸方向と直交するように形成されている。また、１８ｃはナット部１８に形成された傾斜面である。この傾斜面１８ｃは、全体として略四角柱形状を呈するナット部１８の長手方向一端部に形成されるとともに、このナット部１８が長孔１７ａの長手に平行に配置された状態で、フランジ部１６の一側面に対して所定の角度を有して対向するように形成されている。
【００２２】
上記構成のブラケット固定手段２を使用して、ブラケット１をかご室壁に固定する場合には、先ず、壁パネル１９に予め形成されたかご内手摺取付用の取付孔に、かご室内から回転式ナット１４を挿入する。この時、回転式ナット１４は、図５に示すように、ナット部１８の長手がナット支持部１７の長手と同じ方向を向くようにしておき、この状態で壁パネル１９の取付孔に挿入する。そして、壁パネル１９に形成した全ての取付孔に回転式ナット１４を挿入し、各回転式ナット１４のフランジ部１６をかご室内に、また、ナット支持部１７及びナット部１８を、壁パネル１９の取付孔を通過して壁パネル１９の裏面から突出させた状態に配置する。
【００２３】
回転式ナット１４を上記状態に配置した後、かご室内に配置された上記フランジ部１６を覆うように、支柱７の他端部に固定された固定座９を壁パネル１９に宛がい、固定座９の取付孔とフランジ部１６の貫通孔１６ａとの位置が一致するように、固定座９の配置を調整する。そして、かかる状態で、手摺固定ネジ１５を固定座９の取付孔にかご室内から挿入し、壁パネル１９の裏側でナット部１８のネジ孔１８ｂに締め付けることにより、固定座９、即ちブラケット１を壁パネル１９に固定する。
【００２４】
なお、固定座９の取付孔から挿入された手摺固定ネジ１５は、フランジ部１６の貫通孔１６ａを通って壁パネル１９の裏側に達した後、先端部がナット部１８の傾斜面１８ｃに接触する。すると、ナット部１８は、手摺固定ネジ１５が更に奥に押し込まれることにより、手摺固定ネジ１５から受ける力を傾斜面１８ｃによって逃がすように約９０度回転し、ネジ孔１８ｂが手摺固定ネジ１５のネジ部に対して一直線状に配置される。かかる状態から手摺固定ネジ１５を回転させる（締め付ける）と、手摺固定ネジ１５がネジ孔１８ｂに噛み合い、手摺固定ネジ１５は、そのネジ頭が固定座９に接触するまで進入する。そして、手摺固定ネジ１５は、そのネジ頭が固定座９に接触した後、ナット部１８が壁パネル１９の裏面に接触するまで長孔１７ａに沿って移動する。即ち、最終的に、フランジ部１６とナット部１８とによって壁パネル１９が挟持され、また、フランジ部１６と手摺固定ネジ１５のネジ頭とによって固定座９が挟持されることにより、回転式ナット１４及びブラケット１が、壁パネル１９にそれぞれ固定される。
【００２５】
なお、２０は上記手順によって固定座９を壁パネル１９に取り付けた後に、固定座９及び手摺固定ネジ１５をかご室内から覆うカバー、２１はカバー２０を支柱７の所定位置に固定するための押えゴムである。図４は上記カバー２０と手摺３とを取り外した状態を示している。
【００２６】
次に、上記構成を有するかご内手摺装置をかご室壁に取り付ける際の動作について説明する。作業者は、先ず、かご室内において、かご内手摺装置の取付位置を決定する。そして、決定した取付位置に基づいて、壁パネル１９の所定位置にブラケット１の他端部を取り付けるための取付孔を形成し、形成した各取付孔に回転式ナット１４を挿入しておく。次に、手摺固定手段８の固定ネジ１１を弛緩させた状態でネジ座１２をアリ溝付レール４内に配置し、ブラケット１を手摺３に対してその長手方向にスライド自在な状態で取り付ける。また、押えゴム２１をカバー２０と支柱７との間から抜いて、カバー２０をフリーな状態にしておく。
【００２７】
そして、作業者は、ブラケット１の他端部に予め固定した固定座９を壁パネル１９の所定位置に宛がい、手摺固定ネジ１５を用いて固定座９を壁パネル１９に固定する。双方のブラケット１を壁パネル１９に固定した後、手摺３を所望の位置に配置し直し、固定ネジ１１を締め付けて手摺３をブラケット１に固定する。また、固定座９を覆うようにカバー２０を配置した後、押えゴム２１によってカバー２０を固定する。
【００２８】
この発明の実施の形態１によれば、かご室内からの作業のみによって、簡単に壁パネル１９の所望の位置にかご内手摺装置を取り付けることができる。したがって、かご内手摺装置の取り付けに１人の作業者しか必要とせず、作業性の向上及び作業コストの低減を図ることが可能となる。
【００２９】
また、上記構成のかご内手摺装置は、既設エレベータであっても、かご室内からの作業のみによって、かご室壁の任意の位置に簡単に取り付けられる。なお、上記構成のかご内手摺装置は、新設のエレベータに取り付けることも当然可能であるが、一般に、新設するエレベータにかご内手摺装置を取り付ける場合や、かご内手摺装置がオプションとして備えられた既設エレベータを改修してかご内手摺装置を追加する場合には、かご内手摺装置の取付位置となる壁パネル１９の裏面に、予めナット等が設けられている場合が多い。また、既設エレベータでは、エレベータサービスの低下を防止するため、改修工事を短期間で行う必要がある。したがって、かご室内からの作業のみによって短時間で取り付けが可能な上記かご内手摺装置は、かご内手摺装置の設置が想定されていない既設エレベータに対して、特に有効な手段となる。
【００３０】
また、かごと昇降路壁との間に作業者が入るための十分な空間が確保されていないような省スペース化されたエレベータに対しても有効であり、作業者が昇降路内に落下するといった事故を確実に防止することが可能となる。
【００３１】
実施の形態２．
図７はこの発明の実施の形態２におけるエレベータのかご内手摺装置を示す正面図、図８はこの発明の実施の形態２におけるエレベータのかご内手摺装置を示す側面図、図９は図７に示すかご内手摺装置のＥ−Ｅ断面図、図１０は図７に示すかご内手摺装置のＦ−Ｆ断面図、図１１は図１０に示すかご内手摺装置のＧ矢視図である。なお、図１０は手摺３を、図１１は手摺３とカバー２０とを取り外した状態を示している。
【００３２】
図７乃至図１１において、ブラケット１は、上記支柱７及び手摺固定手段８と、支柱７の他端部に設けられた固定座９及び取付用座板２２とによって構成される。固定座９は、実施の形態１の場合と同様に、皿ネジ１３等によって支柱７の他端面に固定されている。取付用座板２２は、固定座９よりも幅及び高さが共に大きい長方形状を呈しており、固定座９の裏面に、皿ネジ２３によって締結固定されている。また、取付用座板２２には、その中央部に、支柱７の他端部をかご室壁に取り付けるための取付孔（図示せず）が、上下に並んで形成されている。
【００３３】
次に、上記構成を有するかご内手摺装置をかご室壁に取り付ける際の動作について説明する。作業者は、先ず、かご室内において、壁パネル１９の所定位置にブラケット１の他端部を取り付けるための取付孔を形成する。
【００３４】
ここで、かご室壁を形成する壁パネル１９は、一般に、かご室壁としての所定の強度を確保する必要があり、その裏面に、図１２に示すようなＬ字形状等の補強板２４が設けられている場合が多い。したがって、作業者が壁パネル１９に取付孔を形成した際に、図７に示すように、補強板２４の立ち上がり部の位置Ｈに取付孔を形成してしまうことがある。このような場合には、作業者は、補強板２４を避けるように、上記位置Ｈに近接した位置Ｊに、再度取付孔を形成する。なお、補強板２４は一般に上下方向に配置されていることが多いため、位置Ｈから水平方向に所定距離ずれた位置Ｊに取付孔を形成すると良い。上記位置Ｊに取付孔を形成した後、取付用座金２２に形成された取付孔の位置に合わせて壁パネル１９に取付孔を形成し、間違って開けてしまった位置Ｈ以外の取付孔に、回転式ナット１４を挿入しておく。また、作業者は、支柱７に押えゴム２１及びカバー２０を挿入した後、支柱７の他端部に皿ネジ１３によって固定座９を、また皿ネジ２３によって取付用座板２２を締結固定しておく。
【００３５】
そして、作業者は、ブラケット１の他端部に固定された取付用座金２２を、回転式ナット１４のフランジ部１６と最初に開けてしまった位置Ｈの取付孔との双方を隠すようにして、壁パネル１９の所定位置に宛がい、手摺固定ネジ１５を用いて取付用座金２２を壁パネル１９に固定する。双方のブラケット１を壁パネル１９に固定した後、手摺３を所望の位置に配置し直し、固定ネジ１１を締め付けて手摺３をブラケット１に固定する。なお、その他は、実施の形態１と同様の構成及び効果を有する。
【００３６】
この発明の実施の形態２によれば、補強材２４に干渉するような位置に取付孔を形成してしまったような場合でも、その取付孔を取付用座金２２で隠すことができ、かご内手摺装置の設置後に意匠性の問題が生じることはない。また、取付用座板２２が所定の幅及び高さを有し、壁パネル１９に面接触した状態で取り付けられるため、かご内手摺装置の取付部分の剛性を向上させることができる。
【００３７】
また、既設エレベータでは、かご室内から壁パネル１９の裏側の状態を把握することは困難であり、実際には、調査等を行わなければ、壁パネル１９の裏面に設けられた補強板２４の位置等は分からない。このため、取付用座金２２を使用することにより、上記調査等のための時間とコストとが不要となり、かご内手摺装置の取付を迅速且つ安価に提供することが可能となる。
【００３８】
なお、図７乃至図１１に示すかご内手摺装置は、手摺固定ネジ１５のネジ頭がかご室内に露出された状態で取り付けられている。このため、例えば、手摺固定ネジ１５を、特殊工具によってのみ締結及び弛緩が行えるような所定の形状（例えば、ネジ頭を楕円形状にして、＋ドライバー用の溝をなくしたもの）にしておき、エレベータの乗客等の悪戯によってかご内手摺装置が取り外されることを防止しても良い。また、固定座９を固定している皿ネジ２３が悪戯等によって取り外されることを防止するため、図８に示すように、皿ネジ２３を覆うカバー２０の下端部を取付用座金２２に溶接等によって固定しても良い。なお、溶接等といった一般工具では取り外すことができない所定の方法によってカバー２０を固定する上記手段は、実施の形態１の場合にも応用することが可能である。
【図面の簡単な説明】
【００３９】
【図１】この発明の実施の形態１におけるエレベータのかご内手摺装置を示す正面図である。
【図２】図１に示すかご内手摺装置のＡ−Ａ断面図である。
【図３】図１に示すかご内手摺装置のＢ−Ｂ断面図である。
【図４】図３に示すかご内手摺装置のＣ矢視図である。
【図５】この発明の実施の形態１における回転式ナットを示す図である。
【図６】図５に示す回転式ナットのＤ−Ｄ断面図である。
【図７】この発明の実施の形態２におけるエレベータのかご内手摺装置を示す正面図である。
【図８】この発明の実施の形態２におけるエレベータのかご内手摺装置を示す側面図である。
【図９】図７に示すかご内手摺装置のＥ−Ｅ断面図である。
【図１０】図７に示すかご内手摺装置のＦ−Ｆ断面図である。
【図１１】図１０に示すかご内手摺装置のＧ矢視図である。
【図１２】エレベータのかご室壁の構成を説明するための図である。
【図１３】従来のエレベータのかご内手摺装置を示す正面図である。
【図１４】図１３に示すかご内手摺装置のＫ−Ｋ断面図である。
【符号の説明】
【００４０】
１  ブラケット
２  ブラケット固定手段
３  手摺
４  アリ溝付レール、
４ａ  突起部
５  把持部
６  皿ネジ
７  支柱
８  手摺固定手段
９  固定座
１０  取付座
１１  固定ネジ
１２  ネジ座
１３  皿ネジ
１４  回転式ナット
１５  手摺固定ネジ
１６  フランジ部
１６ａ  貫通孔
１７  ナット支持部
１７ａ  長孔
１８  ナット部
１８ａ  軸
１８ｂ  ネジ孔
１８ｃ  傾斜面
１９  壁パネル
２０  カバー
２１  押えゴム
２２  取付用座板
２３  皿ネジ
２４  補強板
２５  ブラケット
２６  手摺
２７  壁パネル
２７ａ  取付孔
２８  固定用座金
２９  取付ネジ
【図１】
2008285253.tif 000003
【図２】
2008285253.tif 000004
【図３】
2008285253.tif 000005
【図４】
2008285253.tif 000006
【図５】
2008285253.tif 000007
【図６】
2008285253.tif 000008
【図７】
2008285253.tif 000009
【図８】
2008285253.tif 000010
【図９】
2008285253.tif 000011
【図１０】
2008285253.tif 000012
【図１１】
2008285253.tif 000013
【図１２】
2008285253.tif 000014
【図１３】
2008285253.tif 000015
【図１４】
2008285253.tif 000016